(57)【要約】【課題】簡易な構成で、精度よく充電端子を基板に固定することができる充電装置を提供する。【解決手段】リモコンＲに充電のための電力を供給する充電装置１において、基板３と、基板３に固定され、リモコンＲが着脱自在でありリモコンＲが装着されるとリモコンＲに備えられた被充電端子Ｒ１と接触してリモコンＲに充電のための電力を供給する弾性金属線からなる充電端子４と、を備え、充電端子４は、被充電端子Ｒ２と接触する電極部４１と、充電端子４を基板３に固定するための固定部４２と、を備え、充電端子４は、固定部４２の一部が、基板３側への付勢力が付与された状態で基板３と接触して、基板３に固定されるよう構成した。【選択図】図２
2008228521.tif 000002
【特許請求の範囲】
【請求項１】
被充電体に充電のための電力を供給する充電装置において、
基板と、
前記基板に固定され、前記被充電体が着脱自在であり当該被充電体が装着されると当該被充電体に備えられた被充電端子と接触して当該被充電体に前記充電のための電力を供給する弾性金属線からなる充電端子と、を備え、
前記基板は、前記固定部が挿入される第１孔部及び第２孔部を備え、
前記充電端子は、
前記被充電端子と接触する電極部と、
当該充電端子を前記基板に固定するための固定部と、
前記電極部と前記固定部との間に、コイル状に巻回されたねじり部と、を備え、
前記固定部は、
端部にコ字状に折曲された折曲部を備え、
前記基板の一方の面から前記折曲部が前記第１孔部を貫通して、さらに前記基板の他方の面から前記折曲部の一部が前記第２孔部を貫通しており、
前記充電端子は、前記ねじり部と前記固定部との間に前記基板が挟まれることによって、前記固定部の一部が、前記基板側への付勢力が付与された状態で前記基板と接触して、前記基板に固定されていることを特徴とする充電装置。
【請求項２】
被充電体に充電のための電力を供給する充電装置において、
基板と、
前記基板に固定され、前記被充電体が着脱自在であり当該被充電体が装着されると当該被充電体に備えられた被充電端子と接触して当該被充電体に前記充電のための電力を供給する弾性金属線からなる充電端子と、を備え、
前記充電端子は、
前記被充電端子と接触する電極部と、
当該充電端子を前記基板に固定するための固定部と、を備え、
前記充電端子は、前記固定部の一部が、前記基板側への付勢力が付与された状態で前記基板と接触して、前記基板に固定されていることを特徴とする充電装置。
【請求項３】
請求項２に記載の充電装置において、
前記充電端子は、
前記電極部と前記固定部との間に、コイル状に巻回されたねじり部を備え、
前記ねじり部と前記固定部との間に前記基板が挟まれることによって、前記固定部の一部に前記付勢力が付与されることを特徴とする充電装置。
【請求項４】
請求項２又は３に記載の充電装置において、
前記基板は、前記固定部が挿入される第１孔部及び第２孔部を備え、
前記固定部は、端部にコ字状に折曲された折曲部を備え、
前記基板の一方の面から前記折曲部が前記第１孔部を貫通して、さらに前記基板の他方の面から前記折曲部の一部が前記第２孔部を貫通していることを特徴とする充電装置。
【請求項５】
請求項１に記載の充電装置における前記充電端子の前記基板への固定方法において、
前記基板の一方の面から前記折曲部を前記第１孔部に貫通させ、
次いで、前記ねじり部と前記固定部との間に前記基板を挟んだ状態で、前記基板の他方の面から前記折曲部の一部を前記第２孔部に貫通させ、
次いで、前記第２孔部に貫通された前記折曲部の一部をはんだ付けすることを特徴とする前記充電端子の前記基板への固定方法。
【発明の詳細な説明】
【技術分野】
【０００１】
本発明は、充電装置及び充電端子の基板への固定方法に関する。
【背景技術】
【０００２】
従来、リモートコントローラや携帯端末、充電可能な電池などの被充電体に、充電のための電力を供給する充電装置が知られている。
具体的には、例えば、充電装置には、充電端子が備えられており、充電装置は、その充電端子を被充電体に備えられた被充電端子に接触させることによって、被充電体に充電のための電力を供給するようになっている。
【０００３】
ところで、充電端子は、例えば、基板に固定されたり、端子ホルダーに保持されて、充電装置に取り付けられている。
具体的には、例えば、弾性金属線からなる充電端子を備えた充電装置において、基板に２つの孔部を設け、そして、充電端子の一端を基板の上面から一方の孔部に貫通させ、その差し込んだ充電装置の一端を基板の下面から他方の孔部に貫通させて、その後、その受電端子の一端を基板と略平行となるように降り倒すことによって、充電端子を基板に固定している（例えば、特許文献１参照）。
また、例えば、弾性金属線からなる充電端子を備えた充電装置において、充電端子の一端を基板に差し込むことによって、充電端子を基板に固定したり、或いは、板状の金属材料をプレス加工により打抜くことによって成形した充電端子を備えた充電装置において、端子ホルダーに突起を設け、そして、その突起により充電端子に応力を作用させることによって、充電端子を端子ホルダーにより保持している（例えば、特許文献２参照）。
【特許文献１】特開２００１−２１８３７４号公報
【特許文献２】特開平１０−１０８３７１号公報
【発明の開示】
【発明が解決しようとする課題】
【０００４】
しかしながら、特許文献１に示すように充電端子を基板に固定する場合は、充電端子の一端を、基板に設けられた孔部に貫通しているだけなので、精度よく充電端子を基板に固定できないという問題がある。
また、特許文献２に示すように充電端子を基板に固定する場合も、充電端子の一端を、基板に差し込んでいるだけなので、精度よく充電装置を基板に固定できないという問題がある。さらに、特許文献２に示すように充電端子を端子ホルダーにより保持する場合は、端子ホルダーに突起を設ける等しなければならず、端子ホルダーの構成が複雑になるという問題がある。
【０００５】
本発明の課題は、簡易な構成で、精度よく充電端子を基板に固定することができる充電装置を提供することにある。
【課題を解決するための手段】
【０００６】
上記課題を解決するために、請求項１に記載の発明は、
被充電体に充電のための電力を供給する充電装置において、
基板と、
前記基板に固定され、前記被充電体が着脱自在であり当該被充電体が装着されると当該被充電体に備えられた被充電端子と接触して当該被充電体に前記充電のための電力を供給する弾性金属線からなる充電端子と、を備え、
前記基板は、前記固定部が挿入される第１孔部及び第２孔部を備え、
前記充電端子は、
前記被充電端子と接触する電極部と、
当該充電端子を前記基板に固定するための固定部と、
前記電極部と前記固定部との間に、コイル状に巻回されたねじり部と、を備え、
前記固定部は、
端部にコ字状に折曲された折曲部を備え、
前記基板の一方の面から前記折曲部が前記第１孔部を貫通して、さらに前記基板の他方の面から前記折曲部の一部が前記第２孔部を貫通しており、
前記充電端子は、前記ねじり部と前記固定部との間に前記基板が挟まれることによって、前記固定部の一部が、前記基板側への付勢力が付与された状態で前記基板と接触して、前記基板に固定されていることを特徴とする。
【０００７】
請求項２に記載の発明は、
被充電体に充電のための電力を供給する充電装置において、
基板と、
前記基板に固定され、前記被充電体が着脱自在であり当該被充電体が装着されると当該被充電体に備えられた被充電端子と接触して当該被充電体に前記充電のための電力を供給する弾性金属線からなる充電端子と、を備え、
前記充電端子は、
前記被充電端子と接触する電極部と、
当該充電端子を前記基板に固定するための固定部と、を備え、
前記充電端子は、前記固定部の一部が、前記基板側への付勢力が付与された状態で前記基板と接触して、前記基板に固定されていることを特徴とする。
【０００８】
請求項３に記載の発明は、
請求項２に記載の充電装置において、
前記充電端子は、
前記電極部と前記固定部との間に、コイル状に巻回されたねじり部を備え、
前記ねじり部と前記固定部との間に前記基板が挟まれることによって、前記固定部の一部に前記付勢力が付与されることを特徴とする。
【０００９】
請求項４に記載の発明は、
請求項２又は３に記載の充電装置において、
前記基板は、前記固定部が挿入される第１孔部及び第２孔部を備え、
前記固定部は、端部にコ字状に折曲された折曲部を備え、
前記基板の一方の面から前記折曲部が前記第１孔部を貫通して、さらに前記基板の他方の面から前記折曲部の一部が前記第２孔部を貫通していることを特徴とする。
【００１０】
請求項５に記載の発明は、
請求項１に記載の充電装置における前記充電端子の前記基板への固定方法において、
前記基板の一方の面から前記折曲部を前記第１孔部に貫通させ、
次いで、前記ねじり部と前記固定部との間に前記基板を挟んだ状態で、前記基板の他方の面から前記折曲部の一部を前記第２孔部に貫通させ、
次いで、前記第２孔部に貫通された前記折曲部の一部をはんだ付けすることを特徴とする。
【発明の効果】
【００１１】
請求項１及び５に記載の発明によれば、充電端子は、コイル状に巻回されたねじり部と固定部との間に基板が挟まれることによって、固定部の一部が、基板側への付勢力が付与された状態で前記基板と接触して、基板に固定されている。
したがって、ねじり部と固定部との間に基板を挟むだけの簡易な構成で、充電端子を基板に固定することができ、さらに、ねじり部と固定部との間に基板を挟んでいるため、精度よく充電端子を基板に固定することができる。
【００１２】
また、固定部は、端部にコ字状に折曲された折曲部を備え、基板の一方の面から折曲部が第１孔部を貫通して、さらに基板の他方の面から折曲部の一部が第２孔部を貫通している。
したがって、折曲部を第１孔部及び第２孔部に貫通させるだけの簡易な構成で、充電端子を基板に固定することができ、さらに、折曲部は基板の一方の面から貫通されるとともに他方の面から貫通されているため、精度よく確実に充電端子を基板に固定することができる。
【００１３】
請求項２に記載の発明によれば、充電端子は、当該充電端子を基板に固定するための固定部の一部が、基板側への付勢力が付与された状態で基板と接触して、基板に固定されている。
したがって、固定部に付勢力が付与されるように充電端子を基板と接触させるだけの簡易な構成で、充電端子を基板に固定することができ、さらに、充電端子は固定部に付勢力が付与されるように基板と接触しているため、精度よく充電端子を基板に固定することができる。
【００１４】
請求項３に記載の発明によれば、請求項２に記載の発明と同様の効果が得られることは無論のこと、充電端子は、コイル状に巻回されたねじり部と固定部との間に基板が挟まれることによって、固定部の一部に付勢力が付与されるようになっている。
したがって、ねじり部と固定部との間に基板を挟むだけの簡易な構成で、充電端子を基板に固定することができ、さらに、ねじり部と固定部との間に基板を挟んでいるため、精度よく充電端子を基板に固定することができる。
【００１５】
請求項４に記載の発明によれば、請求項２又は３に記載の発明と同様の効果が得られることは無論のこと、固定部は、端部にコ字状に折曲された折曲部を備え、基板の一方の面から折曲部が第１孔部を貫通して、さらに基板の他方の面から折曲部の一部が第２孔部を貫通している。
したがって、折曲部を第１孔部及び第２孔部に貫通させるだけの簡易な構成で、充電端子を基板に固定することができ、さらに、折曲部は基板の一方の面から貫通されるとともに他方の面から貫通されているため、精度よく確実に充電端子を基板に固定することができる。
【発明を実施するための最良の形態】
【００１６】
以下、図を参照して、本発明を実施するための最良の形態を詳細に説明する。なお、発明の範囲は、図示例に限定されない。
本実施の形態では、被充電体としてリモートコントローラ（以下「リモコン」という。）を例示して説明することとする。
【００１７】
＜充電装置の構成＞
図１に本発明における充電装置１の正面斜視図を示し、図２に本発明における充電装置１の側面断面図であって充電装置１に備えられた基板３及び充電端子４近傍を表した図を示し、図３に本発明における充電装置１に備えられた基板３の正面図を示し、図４（ａ）に本発明における充電装置１に備えられた充電端子４の側面図を示し、図４（ｂ）に本発明における充電装置１の備えられた充電端子４の背面図を示す。
【００１８】
充電装置１は、例えば、リモコンＲに充電のための電力を供給するための装置であり、例えば、図１及び図２に示すように、筐体２と、筐体２の内部において筐体２に固定された基板３と、基板３に固定され、一部（電極部４１）が筐体２の外面から露出する充電端子４と、などを備えて構成される。
ここで、充電装置１の高さ方向を上下方向とし、充電装置１の幅方向を左右方向とし、充電装置１の奥行き方向を前後方向とする。
【００１９】
（リモコン）
リモコンＲは、図２（ｂ）に示すように、例えば、後面における上端から上下方向中央より下側に跨った位置に、後方向に突出した凸部Ｒ１が設けられており、例えば、凸部Ｒ１の上下方向と略直交する下面に被充電端子Ｒ２を備えている。
【００２０】
（筐体）
筐体２は、例えば、図１に示すように、外形が略直方体状に形成されており、例えば、図１及び図２に示すように、前面における上端側中央に、後方向に陥没した凹部２１が設けられている。
凹部２１は、例えば、リモコンＲに設けられた凸部Ｒ１と係合可能に形成されており、リモコンＲを充電装置１により充電する際、例えば、図２（ｂ）に示すように、凹部２１と、リモコンＲの凸部Ｒ１と、を係合させることによって、充電装置１にリモコンＲが載置されるようになっている。
【００２１】
凹部２１の上下方向と略直交する面には、例えば、図１及び図２に示すように、左右方向に並んで２つの貫通孔２２，２２が設けられている。
貫通孔２２からは、例えば、充電端子４の電極部４１が下側から上側に向けて貫通することによって露出しており、貫通孔２２は、例えば、充電装置１にリモコンＲが載置された際に、すなわち、凹部２１とリモコンＲの凸部Ｒ１とが係合された際に、貫通孔２２から露出した電極部４１がリモコンＲの被充電端子Ｒ２と接触可能となる位置に形成されている。
【００２２】
（基板）
基板３は、例えば、プリント配線板であり、例えば、図３に示すように、基板３の上側に左右方向に並んで設けられた２つの第１孔部３１，３１と、基板３の下側に左右方向に並んで設けられた２つの第２孔部３２，３２と、基板３の下端における左右方向中央付近に設けられた切欠部３３と、などを備えて構成される。
【００２３】
第１孔部３１は、例えば、上下方向に長尺な長孔であり、第２孔部３２は、例えば、略正円な円孔である。そして、第１孔部３１と第２孔部３２とは、例えば、上下方向に並んで設けられている。
第１孔部３１と第２孔部３２は、例えば、充電端子４の固定部４２を前後方向に挿入可能に形成されており、例えば、図２に示すように、第１孔部３１と第２孔部３２に充電端子４の固定部４２を挿入させることによって、充電端子４が基板３に固定されるようになっている。
【００２４】
切欠部３３は、例えば、筐体２の内部に設けられた突出部２３と嵌合可能に形成されており、例えば、図２に示すように、切欠部３３を筐体２の突出部２３に上側から嵌合させることによって、筐体２に基板３が固定されるようになっている。
【００２５】
（充電端子）
充電端子４は、例えば、リモコンＲが着脱自在でありリモコンＲが装着されるとリモコンＲに備えられた被充電端子Ｒ２と接触してリモコンＲに充電のための電力を供給する。
具体的には、充電端子４は、例えば、弾性金属線からなり、例えば、図１、図２及び図４に示すように、充電端子４の一端側（前側）に設けられた電極部４１と、充電端子４の他端側（後側）に設けられた固定部４２と、電極部４１と固定部４２との間に設けられたねじり部４３と、などを備えて構成される。
【００２６】
電極部４１は、例えば、リモコンＲを充電装置１により充電する際に、リモコンＲの被充電端子Ｒ２と接触して、リモコンＲに充電のための電力を供給するためのものである。
具体的には、電極部４１は、例えば、充電端子４を構成する弾性金属線の一端側を上方に略垂直に屈曲させて、さらに一端側をＵ字状に下方に屈曲させた形状を有し、このＵ字状に屈曲させた部分が貫通孔２２から突出している。
【００２７】
固定部４２は、例えば、基板３に固定される部分である。
具体的には、固定部４２は、例えば、充電端子４を構成する弾性金属線の他端側を、下方に向かって略垂直に屈曲させることによって形成されており、固定部４２の自由端側には、例えば、前方向に突出する略コ字状に折曲された折曲部４２ａが設けられている。
【００２８】
ねじり部４３は、例えば、弾性金属線がコイル状に巻回されて形成されており、例えば、図２（ｂ）に示すように、電極部４１がリモコンＲの被充電端子Ｒ２と接触して押された際、ねじり部４２において充電端子４が弾性変形するようになっている。
【００２９】
また、ねじり部４３と固定部４２との間には、例えば、図２及び図４に示すように、基板３を挟むことができる隙間ａが設けられており、この隙間ａに基板３が挟まれることによって、固定部４２により充電端子４が基板３に固定されるようになっている。
【００３０】
具体的には、充電端子４は、例えば、基板３の一方の面（後面）から折曲部４２ａが第１孔部３１を貫通して、さらに基板３の他方の面（前面）から折曲部４２ａの一部（折曲部４２ａの自由端４２ａ１）が第２孔部３２を貫通するとともに、ねじり部４３と固定部４２との間の隙間ａに基板３が挟まれることによって、固定部４２の一部（固定部４２の固定端側）が、基板３側（前側）への付勢力が付与された状態で基板３と接触して、基板３に固定されている。
したがって、固定部４２の固定端側に前側への付勢力が付与されているため、例えば、図２（ａ）に示すように、基板３の前面から充電端子４の前面までの距離Ａに対して、充電端子４の基板３への取付時の誤差の影響がなくなることになる。これにより、充電端子４の前面から筐体２の前面内側までの距離Ｂのバラツキが少なくなることになって、リモコンＲを充電装置１に装着させる際、充電端子４の前面が筐体２の前面内側に引っかかってしまってねじり部４３において弾性変形しないという不具合や、充電端子４はねじり部４３において弾性変形し、さらに、リモコンＲを充電装置１から離脱させる際、充電端子４の前面が筐体２の前面内側に引っかかってしまって復元しないという不具合が生じることがなくなる。
【００３１】
＜充電端子の基板への固定方法＞
次に、充電装置１における充電端子４の基板３への固定方法について、図５を参照して説明する。
充電端子４は、例えば、図５（ａ）→（ｂ）→（ｃ）→（ｄ）の順で、基板３へ固定されるようになっている。
【００３２】
具体的には、まず、例えば、図５（ａ）及び図５（ｂ）に示すように、基板３の一方の面から折曲部４２ａを第１孔部３１に貫通させる。
次いで、例えば、図５（ｃ）に示すように、ねじり部４３と固定部４２との間の隙間ａに基板３を挟んだ状態で、固定部４２の固定端側をたわませることによって、基板３の他方の面から折曲部４２ａの自由端部４２ａ１を第２孔部３２に貫通させる。
次いで、例えば、図５（ｄ）に示すように、第２孔部３２に貫通された折曲部４２ａの自由端部４２ａ１をはんだＳによってはんだ付けする。
これにより、充電端子４は、基板３に固定されることになる。
【００３３】
以上説明した本発明の充電装置１によれば、基板３と、基板３に固定され、リモコンＲが着脱自在でありリモコンＲが装着されるとリモコンＲに備えられた被充電端子Ｒ２と接触してリモコンＲに充電のための電力を供給する弾性金属線からなる充電端子４と、を備え、充電端子４は、リモコンＲと接触する電極部４１と、充電端子４を基板３に固定するための固定部４２と、を備え、充電端子４は、固定部４２の一部（固定部４２の固定端側）が、基板３側への付勢力が付与された状態で基板３と接触して、基板３に固定されている。
したがって、固定部４２に付勢力が付与されるように充電端子４を基板３と接触させるだけの簡易な構成で、充電端子４を基板３に固定することができ、さらに、充電端子４は固定部４２に付勢力が付与されるように基板３と接触しているため、精度よく充電端子４を基板３に固定することができる。
【００３４】
また、充電端子４は、電極部４１と固定部４２との間に、コイル状に巻回されたねじり部４３を備え、ねじり部４３と固定部４２との間の隙間ａに基板３が挟まれることによって、固定部４２の一部（固定部４２の固定端側）に基板３側への付勢力が付与される。
したがって、ねじり部４３と固定部４２との間に基板３を挟むだけの簡易な構成で、充電端子４を基板３に固定することができ、さらに、ねじり部４３と固定部４２との間に基板３を挟んでいるため、精度よく充電端子４を基板３に固定することができる。
【００３５】
また、基板３は、固定部４２が挿入される第１孔部３１及び第２孔部３２を備え、固定部４２は、自由端部にコ字状に折曲された折曲部４２ａを備え、基板３の一方の面から折曲部４２ａが第１孔部３１を貫通して、さらに基板３の他方の面から折曲部４２ａの一部（折曲部４２ａの自由端部４２ａ１）が第２孔部３２を貫通している。
したがって、折曲部４２ａを第１孔部３１及び第２孔部３２に貫通させるだけの簡易な構成で、充電端子４を基板３に固定することができ、さらに、折曲部４２ａは基板３の一方の面から貫通されるとともに他方の面から貫通されているため、精度よく確実に充電端子４を基板３に固定することができる。
【００３６】
なお、本発明は、上記した実施の形態のものに限るものではなく、その要旨を逸脱しない範囲で適宜変更可能である。
【００３７】
（変形例）
固定部４２は、必ずしも自由端部に略コ字状の折曲部４２ａを備えて構成される必要はなく、固定部４２の一部が、基板３側への付勢力が付与された状態で基板３と接触して、充電端子４を基板３に固定させることができるのであれば、その形状は任意であり、例えば、図６に示す充電端子４Ａの固定部４２Ａのように、自由端部を前方向に屈曲させて形成させた屈曲部４２ａＡを備えるよう構成されてもよい。
具体的には、充電端子４Ａは、例えば、基板３の一方の面（後面）から屈曲部４２ａＡが第２孔部３２を貫通するとともに、ねじり部４３と固定部４２Ａとの間の隙間ａに基板３が挟まれることによって、固定部４２Ａの一部（固定部４２Ａの固定端側）が、基板３側（前側）への付勢力が付与された状態で基板３と接触して、基板３に固定されている。
この場合、基板３には、必ずしも第１孔部３１を備える必要はない。
【００３８】
被充電体は、リモコンＲの限りでなく、充電装置１により充電することができる物であれば、携帯端末や充電可能な電池などでもよく、任意である。
【図面の簡単な説明】
【００３９】
【図１】本発明における充電装置の正面斜視図である。
【図２】本発明における充電装置の側面断面図であって、リモコンが離脱された状態の充電装置に備えられた基板及び充電端子近傍を表した図（ａ）と、リモコンが装着された状態の充電装置に備えられた基板及び充電端子近傍を表した図（ｂ）と、である。
【図３】本発明における充電装置に備えられた基板の正面図である。
【図４】本発明における充電装置に備えられた充電端子の側面図（ａ）と、本発明における充電装置の備えられた充電端子の背面図（ｂ）と、である。
【図５】充電装置における充電端子の基板への固定方法について説明するための図である。
【図６】本発明における充電装置に備えられた充電端子の変形例を示す図である。
【符号の説明】
【００４０】
１  充電装置
３  基板
４  充電端子
３１  第１孔部
３２  第２孔部
４１  電極部
４２  固定部
４２ａ  折曲部
４２ａ１  自由端部（折曲部の一部）
４３  ねじり部
Ｒ  リモコン（被充電体）
Ｒ２  被充電端子
【図１】
2008228521.tif 000003
【図２】
2008228521.tif 000004
【図３】
2008228521.tif 000005
【図４】
2008228521.tif 000006
【図５】
2008228521.tif 000007
【図６】
2008228521.tif 000008